(57)【特許請求の範囲】
【請求項１】
外部道路側に設けたゲート手段と、
該ゲート手段から離れた視認が難しい位置に設けた駐車装置の入出庫口と、
該入出庫口で車両の入出庫時に開閉する扉と、
該入出庫口の扉を開放させるリモコン信号を受信する第１リモコン受信機と、
前記ゲート手段を出庫時に開放するリモコン信号を受信する第２リモコン受信機と、
前記ゲート手段を入庫時に開放するリモコン信号を受信する第３リモコン受信機と、
前記第１リモコン受信機の信号受信に連動して前記第３リモコン受信機の機能を停止させて、入出庫口での車両の出庫操作時には、ゲート手段の第３リモコン受信機に向けて入庫のためのリモコン操作を行ってもゲート手段が動作しないように制御し、前記第２リモコン受信機が出庫のリモコン信号を受信するとゲート手段を開放させるように制御する制御装置とを備えたことを特徴とする機械式駐車設備。
【請求項２】
前記制御装置は、
前記第３リモコン受信機の信号受信に連動して前記第１リモコン受信機の機能を停止させて、ゲート手段からの車両の入庫操作時には、入出庫口での車両の入出庫操作を第１リモコン受信機に向けて行っても入出庫口が動作しないように構成されている請求項１に記載の機械式駐車設備。
【請求項３】
前記ゲート手段に、
前記第１リモコン受信機又は第３リモコン受信機の機能停止時に点灯する表示灯を具備させた請求項１又は２に記載の機械式駐車設備。
【請求項４】
前記入出庫口の近傍に、前記受信するリモコン信号に応じて異なる色で操作状態を示すリモコン受信表示灯を具備させた請求項１〜３のいずれか１項に記載の機械式駐車設備。
【請求項５】
外部道路側に設けたゲート手段と、該ゲート手段から離れた視認が難しい位置に設けた駐車装置の入出庫口と、該入出庫口で車両の入出庫時に開閉する扉と、を備えた機械式駐車設備の入出庫制御方法であって、
リモコン受信機が、入出庫口における入出庫操作の信号を受信するとゲート手段における入庫信号の受信機能を停止させ、
前記入出庫口における入出庫操作とゲート手段からの出庫操作の完了後に前記ゲート手段における入庫操作の信号受信機能を回復させることを特徴とする機械式駐車設備の入出庫制御方法。
【請求項６】
リモコン受信機が、ゲート手段からの入庫操作の信号を受信すると入出庫口における入出庫操作の受信機能を停止させ、
前記ゲート手段からの入庫操作の完了後に前記入出庫口における入出庫操作の信号受信機能を回復させるようにした請求項５に記載の機械式駐車設備の入出庫制御方法。
【請求項７】
前記入出庫口における入出庫操作とゲート手段からの出庫操作時に、前記ゲート手段に近接して表示灯を点灯させ、該入出庫口における入出庫操作と出庫操作の完了時に前記表示灯を消灯させるようにした請求項５又は６に記載の機械式駐車設備の入出庫制御方法。
【請求項８】
前記入出庫口の近傍で、前記リモコン受信機が受信する入出庫口の入出庫操作信号に応じて異なる色で操作状態を示すようにした請求項７に記載の機械式駐車設備の入出庫制御方法。
【発明の詳細な説明】
【技術分野】
【０００１】
本発明は、機械式駐車装置等を備えた機械式駐車設備に関し、詳しくは、リモートコントロール（以下、単に「リモコン」という）操作により運転操作する機械式駐車設備とその入出庫制御方法に関する。
【背景技術】
【０００２】
従来、機械式駐車設備は、地上の駐車塔や建物の地上内部又は地下に車両を格納する駐車装置が配設されており、駐車設備の設置条件等に応じた搬送方法の駐車装置が採用されている。この駐車装置には、車両が入出庫するための少なくとも１つの入出庫部が備えられ、この入出庫部（以下、「入出庫室」ともいう）には車両及び利用者が出入りする入出庫口が設けられており、この入出庫口には開閉可能な扉が配設されている。
【０００３】
一般的な駐車装置は、この入出庫口の外側に運転盤（運転操作盤）が設置されている。利用者自身が運転操作する方式の駐車装置においては、入出庫時、利用者は入出庫口の手前に車両を停車させて、一旦降車し、上記運転盤を操作して空の車両搭載用パレット（この明細書及び特許請求の範囲の書類中における「車両搭載用パレット」は、機械式駐車設備において車両を搭載して搬送する構成であり、パレットレス方式では「車両搬器」が該当する構成となる）を上記入出庫部に呼び出す。そして、空パレットが入出庫部の乗入れ部に着床すると、入出庫口の扉が自動的に開いて、利用者は車両を運転して入出庫部に入って空パレットに車両を載置した後、入出庫口から外に出て上記運転盤の操作により扉を閉めている。
【０００４】
また、出庫時は、利用者が上記運転盤を操作して自車搭載のパレットを入出庫部に呼び出すと、出庫要求されたパレットが乗入れ部に着床して、入出庫口の扉が自動的に開く。そして、利用者は入出庫部に入り車両を運転して入出庫口から外に出たところで一旦停車して降車し、上記運転盤の操作により扉を閉めている。
【０００５】
このように、一般的な駐車装置では、入出庫の都度、利用者が降車して運転盤で運転操作をする煩わしさがある。そこで、この煩わしさを軽減するために、各利用者に個別に付与した契約（暗証）番号を発信するリモコン送信機を携帯させ、各利用者がこのリモコン送信機を操作して駐車装置を運転操作するようにしたリモコン操作システムを上記運転盤と併用した駐車場管理システムが種々提案されている。
【０００６】
例えば、少なくともユーザーコード番号を含む所定の信号を発信するリモコン送信機を各利用者が携帯し、入出庫口の付近に設置された受信機がこのリモコン送信機からの信号を受信すると、入庫の場合は、入出庫口に近い空パレットを呼び出し、出庫の場合は、利用者の車両を載置したパレットを呼び出すようにしたものがある（例えば、特許文献１，２参照）。
【０００７】
一方、外部道路から誘導路を経て駐車装置の入出庫口に至るレイアウトの立体駐車設備においては、外部道路と誘導路及び入出庫口との間における車両の入退場の安全確保のため、外部道路に面した誘導路端に種々のゲート手段（ゲートバー、チェーンゲー卜、ロープゲート等）を付設したものがある（例えば、特許文献３，４参照）。
【特許文献１】特開平１０−１０２８０４号公報
【特許文献２】特開平８−８６１０９号公報
【特許文献３】特開昭６２−２８８９３号公報
【特許文献４】特開２００５−２２０６０１号公報
【発明の開示】
【発明が解決しようとする課題】
【０００８】
ところで、上記したように外部道路と駐車装置の入出庫口との間に誘導路が設けられたレイアウト等においては、外部道路と誘導路との間に設けられたゲート手段の開閉と入出庫口の開閉とを別々の操作で行っている。そのため、上記したように入出庫の都度、利用者が降車して運転盤で開閉操作する構成では、その操作が非常に多くなり、より煩わしくなる。そのため、駐車装置と共にゲート手段にも上記リモコン操作システムを適用すれば、さらに利便性が向上するものと考えられる。
【０００９】
しかしながら、ゲート手段にリモコン操作システムを適用した場合、例えば、上記誘導路が遠距離であったり、曲折していたり、又はランプ（傾斜路）であったり、或いは外部道路が狭くてゲ一ト手段に真正面に対面して待機することができない場合等、駐車場の設置環境によっては、外部道路で入場待ちしている車両からゲー卜手段内の誘導路及び入出庫口外部（前面空地等）の状態（車両存否や入出庫口扉の開閉状態等）を視認することができず、退場しようとする車両と入場しようとする車両とによるリモコン操作がゲート手段を挟んで交錯し、入退場に混乱を招く恐れがある。
【００１０】
また、場合によっては、たとえリモコン操作の交錯が無かったとしても、後からリモコン操作を行った利用者は、リモコン操作を行っても目的の運転操作が行われず、「リモコンや駐車場管理システムの故障」、「駐車場の稼動休止か故障」等を疑い、不安が募って焦燥感に駆られる恐れもある。
【００１１】
そこで、本発明は、入出庫口付近の見通しの利かなくても、入出庫に混乱を招かないように統制のとれた運転操作ができる機械式駐車設備とその入出庫制御方法を提供することを目的とする。
【課題を解決するための手段】
【００１２】
上記目的を達成するために、本発明の機械式駐車設備は、外部道路側に設けたゲート手段と、該ゲート手段から離れた視認が難しい位置に設けた駐車装置の入出庫口と、該入出庫口で車両の入出庫時に開閉する扉と、該入出庫口の扉を開放させるリモコン信号を受信する第１リモコン受信機と、前記ゲート手段を出庫時に開放するリモコン信号を受信する第２リモコン受信機と、前記ゲート手段を入庫時に開放するリモコン信号を受信する第３リモコン受信機と、前記第１リモコン受信機の信号受信に連動して前記第３リモコン受信機の機能を停止させて、入出庫口での車両の出庫操作時には、ゲート手段の第３リモコン受信機に向けて入庫のためのリモコン操作を行ってもゲート手段が動作しないように制御し、前記第２リモコン受信機が出庫のリモコン信号を受信するとゲート手段を開放させるように制御する制御装置とを備えている。この明細書及び特許請求の範囲の書類中における「リモコン」は、赤外線や電波等の無線で送信を行う「ワイヤレス・リモコン」をいう。また、リモコン受信機の機能を停止させる方法としては、制御装置においてソフトウエア上で「受信不可」の状態とすること等によって達成することができる。これにより、駐車装置の入出庫口と離れた位置にゲート手段が設けられたようなレイアウトの駐車設備において、入出庫口での車両の入出庫操作とゲート手段からの車両の出庫操作時には、ゲート手段のリモコン受信機に向けて入庫のためのリモコン操作を行っても受信機能が停止して動作しないので、出庫操作とゲート手段における車両の入庫操作とが混乱することがなく、統制のとれた車両の入出庫操作を行うことができる。
【００１３】
また、前記制御装置は、前記第３リモコン受信機の信号受信に連動して前記第１リモコン受信機の機能を停止させて、ゲート手段からの車両の入庫操作時には、入出庫口での車両の入出庫操作を第１リモコン受信機に向けて行っても入出庫口が動作しないように構成されていてもよい。このようにすれば、ゲート手段からの車両の入庫操作時には、入出庫口での車両の入出庫操作をリモコン受信機に向けて行っても受信機能が停止して動作しないので、ゲート手段からの車両の入庫操作と出庫操作とが混乱することがなく、統制のとれた車両の入出庫操作を行うことができる。
【００１４】
さらに、前記ゲート手段に、前記第１リモコン受信機又は第３リモコン受信機の機能停止時に点灯する表示灯を具備させてもよい。このようにすれば、入庫待ちの利用者が入出庫口付近の状況を容易に把握することができるので、よりスムーズな入出庫操作を行うことができる。
【００１５】
また、前記入出庫口の近傍に、前記受信するリモコン信号に応じて異なる色で操作状態を示すリモコン受信表示灯を具備させてもよい。このようにすれば、入出庫口においてリモコン受信表示灯の色で入出庫の状況を把握できるので、利用者はスムーズな入出庫操作ができる。
【００１６】
一方、本発明の機械式駐車設備の入出庫制御方法は、外部道路側に設けたゲート手段と、該ゲート手段から離れた視認が難しい位置に設けた駐車装置の入出庫口と、該入出庫口で車両の入出庫時に開閉する扉と、を備えた機械式駐車設備の入出庫制御方法であって、リモコン受信機が、入出庫口における入出庫操作の信号を受信するとゲート手段における入庫信号の受信機能を停止させ、前記入出庫口における入出庫操作とゲート手段からの出庫操作の完了後に前記ゲート手段における入庫操作の信号受信機能を回復させるようにしている。これにより、外部道路側に設けたゲート手段と駐車装置の入出庫口が離れていて視認が難しくても、入出庫口での車両の入出庫操作とゲート手段からの車両の出庫操作時には、ゲート手段のリモコン受信機に向けて入庫のためのリモコン操作を行っても受信機能が停止して動作しないので、出庫操作とゲート手段における車両の入庫操作とが混乱することがなく、統制のとれた車両の入出庫操作を行うことができる。
【００１７】
また、リモコン受信機が、ゲート手段からの入庫操作の信号を受信すると入出庫口における入出庫操作の受信機能を停止させ、前記ゲート手段からの入庫操作の完了後に前記入出庫口における入出庫操作の信号受信機能を回復させるようにしてもよい。このようにすれば、ゲート手段からの車両の入庫操作時には、入出庫口での車両の入出庫操作をリモコン受信機に向けて行っても受信機能が停止して動作しないので、ゲート手段からの車両の入庫操作と出庫操作とが混乱することがなく、統制のとれた車両の入出庫操作を行うことができる。
また、前記入出庫口における入出庫操作とゲート手段からの出庫操作時に、前記ゲート手段に近接して表示灯を点灯させ、該入出庫口における入出庫操作と出庫操作の完了時に前記表示灯を消灯させるようにしてもよい。このようにすれば、利用者が入出庫の状況を容易に把握することができるので、よりスムーズな入出庫操作を行うことができる。
【００１８】
さらに、前記入出庫口の近傍で、前記リモコン受信機が受信する入出庫口の入出庫操作信号に応じて異なる色で操作状態を示すようにしてもよい。このようにすれば、入出庫口においてリモコン受信表示灯の色で入出庫の状況を把握できるので、利用者はスムーズな入出庫操作ができる。
【発明の効果】
【００１９】
本発明は、以上説明したような手段により、入出庫口付近の見通しが利かないレイアウトの場合でも、入出庫に混乱を招かないようにできる機械式駐車設備を提供することが可能となる。
【発明を実施するための最良の形態】
【００２０】
以下、本発明の一実施の形態を図面に基づいて説明する。図１は、本発明の一実施の形態を示す機械式駐車設備におけるゲート手段を含めた入出庫口付近の概略斜視図であり、図２は、図１に示すゲート手段のサブポール上部の拡大斜視図である。図３は、図１に示す機械式駐車設備における制御ブロック図であり、図４は、図１に示す機械式駐車設備において利用されるリモコン送信機の一例を示す平面図である。図１は、本発明の特徴が顕著に表れる特殊な機械式駐車設備１のレイアウト環境を採用しており、出庫時には建物の地下に設けられた入出庫口から斜路状の誘導路を経て幅の狭い外部道路に至るような特殊なレイアウトである。図示する状態は、駐車装置から出庫した車両が退場しようとする状態を示している。また、以下の説明では、図１に示す駐車装置２の正面に向う矢印Ｘから見て、右側、左側、入口側を前側、奥側を後側という。
【００２１】
図１に示すように、この実施の形態における機械式駐車設備１は、駐車装置２の入出庫口３が建物４（ビル）に設けられた入退場口５の奥の地下にあり、この入出庫口３から出庫した車両Ｍは、斜路状の誘導路６（ランプ）を経て外部道路７に出ることとなる。この誘導路６と外部道路７との間には、歩道８に面してゲート手段３１（以下、「チェーンゲート３１」ともいう）が配設されている。
【００２２】
また、外部道路７は幅が狭く、ゲート手段３１に対面して車両Ｍを待機させることができない道路となっている。そのため、待機車両Ｍからはゲート手段３１の様子は窺えるものの、ゲート手段３１の奥側に設けられた誘導路６及び地下の入出庫口３付近の様子は見通せないようなレイアウト環境となっている。
【００２３】
上記駐車装置２の入出庫口３には開閉可能な扉９が設けられ、この入出庫口３の三方枠１０の右側方部に運転盤１１が配設されている。この運転盤１１は、予め全ての契約利用者に付与されたＩＤに対応した運転盤蓋開閉用キー（図示略）で蓋１３を開閉して操作することが可能となっている。そのため、全ての契約利用者には、それぞれのＩＤに対応した上記運転盤蓋開閉用キーとリモコン送信機６１とが予め貸与されている。通常、この運転盤１１は契約利用者と駐車設備管理人のみが操作することができる。また、この運転盤１１は、駐車設備１に備えられた制御装置１２と接続されている。
【００２４】
さらに、入出庫口３の三方枠の左方上方に第１リモコン受信機１５及びリモコン受信表示灯１６が設置されている。この第１リモコン受信機１５は、駐車装置２の入出庫口３を開放させる入出庫用であり、リモコン受信表示灯１６は、後述するように入出庫時の状態を色と点滅又は点灯で示すようになっている。
【００２５】
上記入出庫口３の内部が入出庫室１７であり、乗入床１８に設けられたターンテーブル１９の矩形開口２０に車両搭載用パレット２１が配置されている。この入出庫室１７の内部には、車両・人検知器２２が設けられており、入出庫室１７内における車両Ｍの有無と人の有無とを検知している。この車両・人検知器２２としては、例えば、入出庫室１７の前部と後部とに設けられるワイド光電センサ（多光軸センサ等）が用いられる。なお、図示する例では、入出庫口３の右方上部にスピーカ２３が設けられ、左側方部に非常出入口２４が設けられている。
【００２６】
一方、上記ゲート手段としてのチェーンゲート３１は、左右に離間して立設した１対のポール３２，３３（図示する左側をメインポール３２、右側をサブポール３３という）にチェーン３４を掛け渡し、メインポール３２に内蔵したチェーン昇降モータ３５により、このチェーン３４が所定高さ位置（例えば、約５０センチ）と地上位置のチェーン収容溝体３６内との間で昇降させられるようになっている。このチェーンゲート３１により、両ポール３２，３３問における車両Ｍの通行阻止又は通行許可を行っている。また、メインポール３２の上記誘導路側上部面には第２リモコン受信機３７（出庫用）が内蔵され、サブポール３３の外部道路側上部面には第３リモコン受信機３８（入庫用）が内蔵された状態で設置されている。これにより、第２リモコン受信機３７は誘導路６側からのリモコン操作信号を受信し、第３リモコン受信機３８は外部道路７側からのリモコン操作信号を受信するようになっている。この例では、出庫用の第２リモコン受信機３７と入庫用の第３リモコン受信機３８とを異なるポールに設けているが、同一のポールに設けても、ポールとは別体で設けてもよい。
【００２７】
さらに、図２に示すように、上記サブポール３３の上部にはブザー３９が設けられた警告灯４０（道路灯、出庫灯、回転警告灯ともいう）が、少なくとも外部道路７側を透明板４１として透視可能なように内蔵した状態で設置されている。図１に示すポール３２，３３と、チェーン３４と第２リモコン受信機３７及び第３リモコン受信機３８とを含めて、チェーンゲート３１（ゲート手段）が構成されている。
【００２８】
図３に示すように、上記制御装置１２は、ＲＯＭ（リード  オンリー  メモリ）、ＲＡＭ（ランダム  アクセス  メモリ）、ＣＰＵ（中央演算処理装置）を具備しており、機械式駐車設備１の各部を連係統制するように制御している。この制御装置１２は、Ｉ／Ｏ装置１４（入出力装置）を介して種々の信号を送受信している。Ｉ／Ｏ装置１４は、上記チェーンゲート３１の第２リモコン受信機３７及び第３リモコン受信機３８からの信号の受信、メインポール３２に設けられたチェーン昇降モータ３５との間での信号の送受信、及びサブポール３３に設けられた警告灯４０やブザー３９への信号の送信と、入出庫口３の左方上方に設けられた第１リモコン受信機１５からの信号の受信、リモコン受信表示灯１６への信号の送信と、スピーカ２３への信号の送信を行っている。
【００２９】
上記リモコン受信表示灯１６は、第１リモコン受信機１５が信号を受信すると、後述するように、入出庫時の状態に応じて「緑」、「黄」、「赤」の「点滅」又は「点灯」と、「全  消灯」とで状態を示すようになっている。リモコン受信表示灯１６の各色は、下側から「緑」、「黄」、「赤」となっている。また、このＩ／Ｏ装置１４は、制御装置１２と運転盤１１との間での信号の送受信も行っている。
【００３０】
図示する運転盤１１には、上部に表示部４５が設けられ、その下側に車両Ｍが収容されている部分を示す実車表示ランプ４６と、テンキー４７とが設けられ、その下側に「安全確認」釦４８、「空呼」釦４９、「暗証」釦５０、「スタート」釦５１、「終了／扉閉」釦５２、「扉閉」釦５３、及び「非常停止」釦５４が設けられている。これらの下側には、「電源」スイッチ５５と、「手動／自動／保守」の切替えを行う「運転モード」スイッチ５６と、「ターンテーブル」スイッチ５７とが設けられている。この運転盤１１の構成は一例であり、この実施の形態に限定されるものではない。
【００３１】
さらに、Ｉ／Ｏ装置１４は、上記以外に「パレット移動格納駆動部」や「パレット搬出入用リフト昇降駆動部」等、駐車装置２の各駆動部との間での信号の入出力や、「人・車両検知器」、「入庫案内表示器（室内灯及びスピーカ）」や「ターンテーブルの旋回駆動部」、「入出庫口の扉開閉駆動部」等の入出庫室１７内の各部との間での信号の送受信も行っている。
【００３２】
図４に示すように、この実施の形態のリモコン送信機６１は、前面（図の上側）に送信窓６２が設けられ、上面には「非常」釦６３と「安全確認」釦６４と「スタート」釦６５と「ドア閉」釦６６と３個のファンクション釦６７とが設けられている。また、この上面には、送信時のみ点灯する送信表示ランプ６８が設けられている。このリモコン送信機６１によれば、上記各釦６４〜６６を押すことにより、前面の送信窓６２から信号Ｓが発信される。この例では、リモコン送信機６１の上面下部に契約利用者ごとに付与された呼番号６９が記入されている。この呼番号６９としては、駐車契約したパレット番号でもよいが、任意の空パレットに入庫させるフリーロケーションの場合、契約番号としてもよい。この場合、入庫時に契約番号とその時に入庫した入庫パレット番号とが対で制御装置１２に記憶される。なお、この実施の形態におけるファンクション釦６７の「１」は、契約利用者による入出庫操作であることの信号を発信する釦となっている。
【００３３】
図５は、図１に示す機械式駐車設備における入庫時のフローチャートであり、図６Ａは、図５に示す入庫時における前半の各プロセスを模式的に示す説明図、図６Ｂは、図５に示す入庫時における後半の各プロセスを模式的に示す説明図である。これらの図に基いて入庫方法をより詳しく説明する。図５のフローチャートでは、「操作する人」と「リモコン受信表示灯」と「駐車装置の動き」と「チェーンゲートの動き」とを分けて説明している。また、図６Ａ，図６Ｂ中におけるリモコン受信表示灯１６は、下側から「緑」、「黄」、「赤」の各色となっており、「点滅」は斜線で示し、「点灯」は塗り潰して示している。さらに、図示する警告灯４０の上部に点線を付した状態は、点滅状態を示しており、実線を付した状態は、点灯状態を示している。なお、上記説明と同一の構成には、同一符号を付して説明する。
【００３４】
（１）  利用者は外部道路７上のチェーンゲート３１の手前に車両Ｍを停車させ、チェーン３４が上昇位置にあること、及び警告灯４０が消灯していることを確認した上で、車内からチェーンゲート３１のサブポール３３に設けられた第３リモコン受信機３８に向けてリモコン送信機６１の「１」釦を押す（図６Ａ(a) ）。これにより、チェーンゲート３１が下降すると共に、警告灯４０が点滅する（図６Ａ(b) ）。この入庫時に警告灯４０が消灯していない場合、第３リモコン受信機３８に対するリモコン操作はできない。
【００３５】
（２）  チェーンゲート３１が下降したことを確認した上で、利用者は車両Ｍを運転してチェーンゲート３１を通過し、誘導路６を経て入出庫口３の手前で車両Ｍを停車させる。また、チェーンゲート３１は、車両Ｍが通過すると所定時間（例えば、約１０秒程度）経過後、自動的に上昇位置に復帰し、後続車両の入場を阻止する。これにより、警告灯４０は点灯状態となる。また、第３リモコン受信機３８の受信機能が停止する（図６Ａ(c) ）。図示する矢印に「×」を付した記号は、受信不可を示している。
【００３６】
（３）  利用者は、車内から入出庫口３付近の安全を目視確認し、周囲に人が居ないことを確認したうえでリモコン受信表示灯１６を確認する。このリモコン受信表示灯１６が「緑  点灯」していた場合、入出庫口３の三方枠左上方の第１リモコン受信機１５に向け、リモコン送信機６１の「安全確認」釦６４を押す（図６Ａ(c) ）。そして、リモコン受信表示灯１６が「緑  点滅」になると、第１リモコン受信機１５に向けてリモコン送信機６１の「スタート」釦６５を押す。
【００３７】
（４）  制御装置１２は、第１リモコン受信機１５の受信信号（契約ＩＤ）を照合し、契約利用者の入庫要求であると判断すれば、空パレット２１を入出庫部１７に呼び出す。この時、リモコン受信表示灯１６が「黄  点灯」となる（図６Ａ(d) ）。
【００３８】
（５）  空パレット２１が入出庫部１７の乗り入れ部に着床すると、入出庫口３の扉９が開く。これにより、リモコン受信表示灯１６が「黄  点滅」から「全  消灯」となる（図６Ａ(e) ）。
【００３９】
（６）  利用者は、車両Ｍを運転して、入出庫口３から入出庫室１７の内部に乗入れ、入出庫室内の案内表示・放送に従って車両Ｍをパレット２１の所定位置に乗り入れて停車させる。これにより、リモコン受信表示灯１６が「赤  点滅」となる（図６Ｂ(f) ）。
【００４０】
（７）  利用者Ｗは、降車し、入出庫室１７内及び入出庫口３の周辺に人が居ないこと等の安全を確認しつつ、入出庫口３から外に出て、上記貸与契約キーを用いて運転盤１１の蓋１３を開け、運転盤１１の「安全確認」釦４８を押す。これによりリモコン受信表示灯１６が「全  消灯」となり、運転ロックが解除され、運転盤１１の「終了／扉閉」釦が点滅する。
【００４１】
（８）  利用者Ｗが運転盤１１の「終了／扉閉」釦を押すと、入出庫口３の扉９が閉まり、リモコン受信表示灯１６が「黄  点滅」となると共に、「扉が閉まります」の放送が流れる。そして、入出庫口３の扉が閉まる（図６Ｂ(g) ）。これにより、リモコン受信表示灯１６は「緑  点灯」となり、「終了／扉閉」釦、警告灯が消灯し、利用者Ｗは退場する。このような入庫作業後、利用者は入出庫口３の扉９が完全に閉まるのを見届けて離れる（図６Ｂ(h) ）。また、第１及び第３リモコン受信機３８に対するリモコン操作が可能となる。そして、駐車装置２（リフト等）の駆動により入庫パレット２１が駐車部に搬入されて格納される（図６Ｂ(i) ）。なお、上記例では、入庫後、利用者がリモコン操作でなく、運転盤１１の操作で入出庫口３の扉９を閉操作しているが、入庫後の扉閉操作もリモコン操作で行うようにしてもよい。
【００４２】
図７は、図１に示す機械式駐車設備における出庫時のフローチャートであり、図８Ａは、図７に示す出庫時における前半の各プロセスを模式的に示す説明図、図８Ｂは、図７に示す出庫時における後半の各プロセスを模式的に示す説明図である。これらの図に基いて出庫方法をより詳しく説明する。なお、図７のフローチャートでも、「操作する人」と「リモコン受信表示灯」と「駐車装置の動き」と「チェーンゲートの動き」とを分けて説明している。また、図８Ａ，図８Ｂ中におけるリモコン受信表示灯１６の表示、及び警告灯４０の「点滅」「点灯」状態、リモコン信号の受信不可状態の表示は、上記図６Ａ，図６Ｂと同様に示して説明する。
【００４３】
（１）  利用者は入出庫口３付近まで歩いてきて、周辺に人が居ないこと、及びリモコン受信表示灯１６が「緑」点灯であることを確認する（図８Ａ(a) ）。そして、入出庫口３の三方枠１０の左上方の第１リモコン受信機１５に向け、リモコン送信機６１の「安全確認」釦６４を押す（図８Ａ(b) ）。これにより、リモコン受信表示灯１６が「緑  点滅」となり、更に第１リモコン受信機１５に向けてリモコン送信機６１の「スタート」釦６５を押す。これにより、リモコン受信表示灯１６は「黄  点灯」となり、第３リモコン受信機３８の受信機能が停止する（図８Ａ(c) ）。
【００４４】
（２）  制御装置１２は、第１リモコン受信機  の受信信号（契約ＩＤ）を照合し、契約利用者の出庫要求であると判断すれば、出庫要求パレットを入出庫部１７に呼び出す。これにより、警告灯４０が点灯する。
【００４５】
（３）  出庫要求パレット２１が入出庫部１７の乗入れ部に着床すると、入出庫口３の扉９が開く。扉９の開動作中はリモコン受信表示灯１６は「黄  点滅」となる（図８Ａ(d) ）。そして、扉９の開完了によってリモコン受信表示灯１６は「全  消灯」となる。その後、利用者が入出庫室１７内に入るとリモコン受信表示灯１６は「赤  点滅」となり、駐車装置２の運転ロックが作動する（図８Ａ(e) ）。この状態では、リモコン操作が不可となる。また、利用者が車両Ｍに乗車し、運転して入出庫口３から外に出たところで一旦停車する。車両Ｍが入出庫室１７から出るときには、ブザー３９が鳴動する（図８Ａ(f) ）。
【００４６】
（４）  利用者は、車内から入出庫口３付近が無人であること等の安全を確認したうえで、入出庫口３三方枠の左上方の第１リモコン受信機１５に向け、リモコン送信機６１の「安全確認」釦６４を押す。これにより、リモコン受信表示灯１６は全消灯になると共に、駐車装置２は運転ロックが解除となり、運転盤１１の「終了／扉閉」釦５２が点滅する（図８Ｂ(g) ）。また、続けて第１リモコン受信機１５に向けて、リモコン送信機６１の「ドア閉」釦６６を押すと、リモコン受信表示灯１６が「黄  点滅」になると共に、「扉が閉まります」の放送が流れる（図８Ｂ(h) ）。
【００４７】
（５）  入出庫口３の扉９が閉まり、ブザー３９が鳴動すると共にリモコン受信表示灯１６は「緑  点灯」となる（図８Ｂ(i) ）。出庫後の空きパレットは次の入出庫要求があるまでそのまま待機する。また、運転盤１１又はリモコン送信機６１による呼び操作が可能となる。
【００４８】
（６）  利用者は、入出庫口３の扉９が完全に閉じたこととリモコン受信表示灯１６の「緑  点灯」とを見届けた上で、チェーンゲート３１へ向う。この扉９が完全に閉鎖されるまでは、第２リモコン受信機３７に対するリモコン操作は制御装置１２が受付けないようになっており、出庫時に扉９が完全に閉まらない状態でチェーンゲート３１を下げて退場する、という不良状態を回避している。扉９が完全に閉じたことを見届けた利用者はチェーンゲート３１の付近に車両Ｍを停車させ、車内からチェーンゲート３１のメインポール３２に設けられた第２リモコン受信機３７に向けてリモコン送信機６１の「１」釦を押す。
【００４９】
（７）  チェーンゲート３１が下降した上で、利用者は車両Ｍを運転してチェーンゲート３１を通過し外部道路７上に出て退場する（図８Ｂ(j) ）。チェーンゲート３１は、車両Ｍが通過した後、所定時間（例えば、約１０秒程度）経過後、自動的に上昇位置に復帰する。チェーンゲート３１が上昇完了すると、警告灯が消灯し、ブザーも停止する（図８Ｂ(k) ）。これにより、第３リモコン受信機に対するリモコン操作が可能となる（図８Ｂ(l) ）。
【００５０】
以上のように、上記機械式駐車設備１によれば、制御装置１２によって、駐車装置２、運転盤１１、第１〜３リモコン受信機１５，３７，３８、リモコン受信表示灯１６、チェーンゲート３１（ゲー卜手段）、警告灯４０等を統括して制御し、外部道路７上の入庫待ちの利用者が見通しの利かない入出庫口３付近の状態を把握できるようにするので、入出庫作業中であるにも係わらず誤ってチェーンゲート３１を操作して入場し混乱を招くという恐れが無くなり、統制のとれた機械式駐車設備１（立体駐車設備）の入出庫制御が可能となる。
【００５１】
つまり、機械式駐車設備１の制御装置１２によって複数の関連した装置や手段間の動きを相互に制限したり動作させないようにするインターロック制御により、機械式駐車設備１とゲート手段３１とを連係統制して制御し、リモコン操作による入出庫操作を可能としている。
【００５２】
なお、上記実施の形態では、ゲート手段３１として「チェーンゲート３１」を採用しているが、ロープゲート、バーゲート（遮断機）、開閉柵等、車両Ｍの通行を遮断又は許容できる機構のものであれば、どのようなゲート手段でもよい。
【００５３】
また、上記実施の形態では、建物の地下に駐車装置２を組み込んだ機械式駐車設備１を例に説明しているが、駐車装置２の種類は限定されず、独立した駐車塔に種々の方式の機械式駐車装置（エレベータ方式、垂直循環方式、スタッカークレーン方式、水平循環方式、箱形循環方式、平面往復方式等）を組み込んだ立体駐車設備でもよい。また、上記実施の形態では、入出庫口３を地下に配置しているが、地上でも地上の高位置（屋上等）でもよい。
【００５４】
さらに、上記実施の形態は、外部道路７の幅が狭く、この外部道路７から斜路状の誘導路６を経て建物の地下に設けられた入出庫口３に至るような特殊なレイアウトであるが、レイアウトも上記実施の形態に限定されるものではない。
【００５５】
また、上述した実施の形態は一例を示しており、本発明の要旨を損なわない範囲での種々の変更は可能であり、本発明は上述した実施の形態に限定されるものではない。
【産業上の利用可能性】
【００５６】
本発明に係る機械式駐車設備は、入出庫口付近の見通しが悪く、入庫待ちの利用者が入出庫口付近の状態を把握し難い駐車設備に利用できる。
【図面の簡単な説明】
【００５７】
【図１】本発明の一実施の形態を示す機械式駐車設備におけるゲート手段を含めた入出庫口付近の概略斜視図である。
【図２】図１に示すゲート手段のサブポール上部の拡大斜視図である。
【図３】図１に示す機械式駐車設備における制御ブロック図である。
【図４】図１に示す機械式駐車設備において利用されるリモコン送信機の一例を示す平面図である。
【図５】図１に示す機械式駐車設備における入庫時のフローチャートである。
【図６Ａ】図５に示す出庫時における前半の各プロセスを模式的に示す説明図である。
【図６Ｂ】図５に示す出庫時における後半の各プロセスを模式的に示す説明図である。
【図７】図１に示す機械式駐車設備における出庫時のフローチャートである。
【図８Ａ】図７に示す出庫時における前半の各プロセスを模式的に示す説明図である。
【図８Ｂ】図７に示す出庫時における後半の各プロセスを模式的に示す説明図である。
【符号の説明】
【００５８】
１…機械式駐車設備
２…駐車装置
３…入出庫口
６…誘導路
９…扉
１０…三方枠
１１…運転盤
１２…制御装置
１４…Ｉ／Ｏ装置
１５…第１リモコン受信機
１６…リモコン受信表示灯
１７…入出庫室（部）
２１…車両搭載用パレット
３１…ゲート手段（チェーンゲート）
３２…メインポール
３３…サブポール
３４…チェーン
３７…第２リモコン受信機
３８…第３リモコン受信機
６１…リモコン送信機
Ｍ…車両
【図１】
0005174486.tif 000002
【図２】
0005174486.tif 000003
【図３】
0005174486.tif 000004
【図４】
0005174486.tif 000005
【図５】
0005174486.tif 000006
【図６Ａ】
0005174486.tif 000007
【図６Ｂ】
0005174486.tif 000008
【図７】
0005174486.tif 000009
【図８Ａ】
0005174486.tif 000010
【図８Ｂ】
0005174486.tif 000011